(57)【要約】【課題】  現実世界における情報をゲーム上の仮想世界に反映させることが可能な新規なサーバ装置、方法及びプログラムを提供する。【解決手段】  まず、端末装置から送信される位置情報及び位置情報に基づいて算出された特定の二点間の距離情報の少なくとも一方を含む信号をサーバ装置が受信する。次いで、サーバ装置が位置情報及び距離情報の少なくとも一方に基づいて、端末装置が現実世界において経由した複数の地点間の累積距離を算出する。次いで、サーバ装置が、端末装置に付与する特典を累積距離に応じて設定する。これにより、例えば、オンラインゲームを当該ユーザの日常生活と密接に関連させることができ、当該オンラインゲームに対するユーザの興味をかきたてることが可能になるという効果を奏する。【選択図】図６
2017141393.tif 000002
【特許請求の範囲】
【請求項１】
端末装置から送信される位置情報及び前記位置情報に基づいて算出された特定の二点間の距離情報の少なくとも一方を含む信号を受信する通信部と、
前記位置情報及び前記距離情報の少なくとも一方に基づいて、前記端末装置が現実世界において経由した複数の地点間の累積距離を算出する集計部と、
前記端末装置に付与する特典を前記累積距離に応じて設定する特典設定部と、を有するサーバ装置。
【請求項２】
前記特典は、前記端末装置において、特定のアプリケーションを実行する際に又は前記特定のアプリケーションにおける特定のイベントを実行する際に、必要となるポイントである請求項１に記載のサーバ装置。
【請求項３】
前記特定のアプリケーションは、ゲームであり、
前記特定のイベントは、ダンジョンである請求項２に記載のサーバ装置。
【請求項４】
前記特典は、前記端末装置において表示可能な画像又は動画である請求項１に記載のサーバ装置。
【請求項５】
前記信号の受信は、前記端末装置の操作に応じて不定期に行われる請求項１乃至請求項４のいずれか一項に記載のサーバ装置。
【請求項６】
前記信号の受信は、一定期間毎に行われる請求項１乃至請求項４のいずれか一項に記載のサーバ装置。
【請求項７】
前記集計部による前記累積距離の算出は、一定期間毎に行われる請求項１乃至請求項６のいずれか一項に記載のサーバ装置。
【請求項８】
前記集計部による前記累積距離の算出は、前記端末装置から集計を指示する信号が送信された場合に行われる請求項１乃至請求項６のいずれか一項に記載のサーバ装置。
【請求項９】
前記特典設定部は、前記端末装置のユーザが前記特典として選択可能な複数の選択肢を設定する請求項１乃至請求項８のいずれか一項に記載のサーバ装置。
【請求項１０】
前記特典設定部は、前記端末装置のユーザが前記特典を取得することが可能な取得可能期間を設定する請求項１乃至請求項９のいずれか一項に記載のサーバ装置。
【請求項１１】
サーバ装置の通信部が、端末装置から送信される位置情報及び前記位置情報に基づいて算出された特定の二点間の距離情報の少なくとも一方を含む信号を受信し、
前記サーバ装置の集計部が、前記位置情報及び前記距離情報の少なくとも一方に基づいて、前記端末装置が現実世界において経由した複数の地点間の累積距離を算出し、
前記サーバ装置の特典設定部が、前記端末装置に付与する特典を前記累積距離に応じて設定する方法。
【請求項１２】
端末装置と信号の送受信を行うコンピュータを、
端末装置から送信される位置情報及び前記位置情報に基づいて算出された特定の二点間の距離情報の少なくとも一方を含む信号を受信する通信部と、
前記位置情報及び前記距離情報の少なくとも一方に基づいて、前記端末装置が現実世界において経由した複数の地点間の累積距離を算出する集計部と、
前記端末装置に付与する特典を前記累積距離に応じて設定する特典設定部として機能させるためのプログラム。
【発明の詳細な説明】
【技術分野】
【０００１】
本発明は、物及び方法に関する。例えば、本発明は、サーバ装置、方法及びプログラムに関する。
【背景技術】
【０００２】
インターネットの普及に伴い、オンラインゲームが発展してきている。オンラインゲームの場合、現実世界におけるユーザの情報に応じて、ゲーム上の仮想世界においてユーザが操作するキャラクタの情報を変化させることが可能である。例えば、特許文献１では、ユーザが所定時間帯に現実世界の所定エリアにいる場合に、ユーザが操作するキャラクタの属性を変更するゲームシステムが開示されている。
【先行技術文献】
【特許文献】
【０００３】
【特許文献１】特開２０１２−５６５２号公報
【発明の概要】
【発明が解決しようとする課題】
【０００４】
本発明の一態様は、新規な物及び方法を提供することを課題とする。例えば、現実世界における情報をゲーム上の仮想世界に反映させることが可能な新規なサーバ装置、方法及びプログラムを提供することを課題とする。
【課題を解決するための手段】
【０００５】
本発明の一態様は、端末装置から送信される位置情報及び位置情報に基づいて算出された特定の二点間の距離情報の少なくとも一方を含む信号を受信する通信部と、位置情報及び距離情報の少なくとも一方に基づいて、端末装置が現実世界において経由した複数の地点間の累積距離を算出する集計部と、端末装置に付与する特典を累積距離に応じて設定する特典設定部と、を有するサーバ装置である。【０００６】
また、本発明の一態様は、サーバ装置の通信部が、端末装置から送信される位置情報及び位置情報に基づいて算出された特定の二点間の距離情報の少なくとも一方を含む信号を受信し、サーバ装置の集計部が、位置情報及び距離情報の少なくとも一方に基づいて、端末装置が現実世界において経由した複数の地点間の累積距離を算出し、サーバ装置の特典設定部が、端末装置に付与する特典を累積距離に応じて設定する方法である。【０００７】
また、本発明の一態様は、端末装置と信号の送受信を行うコンピュータを、端末装置から送信される位置情報及び位置情報に基づいて算出された特定の二点間の距離情報の少なくとも一方を含む信号を受信する通信部と、位置情報及び距離情報の少なくとも一方に基づいて、端末装置が現実世界において経由した複数の地点間の累積距離を算出する集計部と、端末装置に付与する特典を累積距離に応じて設定する特典設定部として機能させるプログラムである。
【発明の効果】
【０００８】
本発明の一態様により、新規な物及び方法を提供することが可能となる。例えば、現実世界における情報をゲーム上の仮想世界に反映させることが新規なサーバ装置、方法及びプログラムを提供することが可能となる。
【図面の簡単な説明】
【０００９】
【図１】システムの一例を示す図。
【図２】端末装置の構成例を示す図。
【図３】端末装置により実現される機能の一例を示すブロック図。
【図４】サーバ装置の構成例を示す図。
【図５】サーバ装置により実現される機能の一例を示すブロック図。
【図６】システムにおけるシーケンスの一例を示す図。
【図７】端末装置の表示画面の変化の概要の一例を示す図。
【図８】端末装置の表示画面の一例を示す図。
【図９】端末装置の表示画面の一例を示す図。
【図１０】端末装置の表示画面の一例を示す図。
【図１１】端末装置の表示画面の一例を示す図。
【図１２】端末装置の表示画面の一例を示す図。
【図１３】端末装置の表示画面の一例を示す図。
【図１４】端末装置の表示画面の一例を示す図。
【図１５】サーバ装置の動作の一例を示すフローチャート。
【図１６】システムにおけるシーケンスの一例を示す図。
【図１７】システムにおけるシーケンスの一例を示す図。
【図１８】システムにおけるシーケンスの一例を示す図。
【図１９】サーバ装置の動作の一例を示すフローチャート。
【発明を実施するための形態】
【００１０】
以下、本発明の一態様の装置及び方法の一例について図面を参照して詳細に説明する。
【００１１】
１  システム
図１は、本発明の一態様のシステムを示す図である。図１に示されるシステムは、端末装置１０と、ネットワーク３０を介して端末装置１０と通信可能なサーバ装置２０とを有する。
【００１２】
図１に示されるシステムにおいては、各種のアプリケーションを実行することが可能である。なお、本発明の一態様において、アプリケーションは、サーバ装置２０のオペレーティングシステム（ＯＳ）上で動作するソフトウェアであって、端末装置１０がネットワークを介してアクセスするもの、及び端末装置１０にインストールされたソフトウェアであって、当該ソフトウェアの実行に伴って適宜サーバ装置から新たな情報をダウンロードするもののいずれであってもよい。
【００１３】
（１）端末装置
図２は、図１に示される端末装置１０の構成例を示す図である。図２に示される端末装置１０は、中央処理装置（ＣＰＵ）１０１と、アンテナ１０２と、メモリ１０３と、タッチパネル１０４と、グローバル・ポジショニング・システム（ＧＰＳ）受信機１０５と、タイマ１０６とを含む。そして、これらの各構成要素は、バス１０７を介して互いに電気的に接続されている。なお、本発明の一態様の端末装置は、図２に示される端末装置１０の構成のみを備えるものに限定されない。すなわち、本発明の一態様の端末装置として、図２に示されていない構成要素が追加されたものを適用することも可能である。また、本発明の一態様の端末装置は、図２に示される複数の構成の全てを備えたものに限定されない。例えば、本発明の一態様の端末装置として、タイマ１０６が存在しないものを適用することも可能である。
【００１４】
ＣＰＵ１０１は、メモリ１０３に記憶されたソフトウェアに含まれる命令を実行することが可能である。具体的には、ＣＰＵ１０１は、各種の情報を含む信号をサーバ装置２０に送信するためのアンテナ１０２の制御、ユーザによるタッチパネル１０４の操作に基づく演算処理及び特定の情報を当該ユーザに提示するためのタッチパネル１０４の制御、位置検出のためのＧＰＳ受信機１０５の制御、並びに、時間測定のためのタイマ１０６の制御等を行うことが可能である。例えば、ＣＰＵ１０１は、特定の情報を含む信号をサーバ装置２０に送信するようにアンテナ１０２を制御することが可能である。なお、当該特定の情報としては、端末装置１０の特定の時刻における所在地を示す位置情報、及び、当該位置情報に基づいて算出される特定の二点間の距離情報等が挙げられる。
【００１５】
メモリ１０３は、ＣＰＵ１０１が実行するプログラムを格納するために用いられ、ＤＲＡＭ（Ｄｙｎａｍｉｃ  Ｒａｎｄｏｍ  Ａｃｃｅｓｓ  ｍｅｍｏｒｙ）、ＳＲＡＭ（Ｓｔａｔｉｃ  Ｒａｎｄｏｍ  Ａｃｃｅｓｓ  ｍｅｍｏｒｙ）、ＨＤＤ（Ｈａｒｄ  Ｄｉｓｋ  Ｄｒｉｖｅ）、及び／又はフラッシュメモリ等によって構成することが可能である。また、メモリ１０３は、ＤＲＡＭによって構成される揮発性記憶部と、ＨＤＤによって構成される不揮発性記憶部を含んで構成されてもよい。なお、当該不揮発性記憶部は、オペレーティングシステム等の端末装置１０において実行され得る様々なソフトウェアを記憶することが可能である。また、当該揮発性記憶部は、当該不揮発性記憶装置から読み出された、端末装置１０において現に実行されているアプリケーションを記憶することが可能である。
【００１６】
タッチパネル１０４は、液晶素子、有機エレクトロルミネッセンス（ＥＬ）素子、又は電気泳動素子等を利用してユーザに情報を提示する機能と、静電容量方式又は抵抗膜方式等によってユーザの操作を検出する機能とを備える。なお、端末装置１０においては、タッチパネル１０４の替わりに、ユーザに情報を提示する機能を備える装置と、ユーザの操作を検出する機能を備える装置とを別個に備えていてもよい。前者の機能を備える装置としては、ディスプレイパネル、スピーカ、及びバイブレータ等が挙げられる。また、後者の機能を備える装置としては、キーボード、ボタン、タッチパッド、マウス、マイクロフォン、及びジャイロセンサ等が挙げられる。また、端末装置１０においては、タッチパネル１０４に加えて、これらの例示物の複数を備えていてもよい。例えば、端末装置１０は、タッチパネル１０４と、スピーカと、バイブレータとを備えていてもよい。
【００１７】
ＧＰＳ受信機１０５は、ＧＰＳ衛星から送信される信号を受信し、現在地を特定する機能を有する。
【００１８】
タイマ１０６は、時間の測定が可能な装置であればどのような構成であってもよい。例えば、タイマ１０６は、水晶振動子を備えていてもよい。
【００１９】
図３は、図１に示される端末装置１０により実現される機能の一例を示すブロック図である。図３に示される端末装置１０は、処理部１２１と、更新部１２２と、通信部１２３と、変換部１２４とを有する。なお、本発明の一態様の端末装置は、図３に示される複数の機能のみを備えたものに限定されない。すなわち、本発明の一態様の端末装置として、図３に示されていない機能が追加されたものを適用することも可能である。
【００２０】
処理部１２１は、各種信号の演算処理を行う機能を備える。例えば、処理部１２１は、ユーザによる端末装置１０の操作に応じて演算処理を行う機能を備える。なお、当該処理部１２１の機能は、図２に示されるＣＰＵ１０１等によって具現される。
【００２１】
更新部１２２は、既存の情報を更新する機能を備える。例えば、アプリケーションの実行に際して処理部１２１において実行された演算処理の結果、又は、サーバ装置２０から送信される当該アプリケーションに関する情報を踏まえて、端末装置１０に記憶されている既存の情報を更新する機能を備える。なお、当該更新部１２２の機能は、図２に示されるＣＰＵ１０１及びメモリ１０３等によって具現される。
【００２２】
通信部１２３は、サーバ装置２０に対して信号を送信し、また、サーバ装置２０が送信する信号を受信する機能を備える。例えば、通信部１２３は、特定のアプリケーションを実行することの許可をサーバ装置２０に対して要求するための信号を送信し、また、当該特定のアプリケーションの実行に際して必要な情報を含む信号を受信する機能を備える。さらに、通信部１２３は、上述の位置情報及び距離情報の少なくとも一方を含む信号をサーバ装置２０に対して送信する機能を備える。なお、当該通信部１２３の機能は、図２に示されるＣＰＵ１０１、アンテナ１０２、及びＧＰＳ受信機１０５等によって具現される。
【００２３】
変換部１２４は、ユーザによる端末装置１０の操作等の非電気信号を電気信号に変換し、また、電気信号をユーザが知覚可能な信号に変換する機能を備える。例えば、端末装置１０の表示画面におけるユーザの接触を電気信号に変換し、また、サーバ装置２０から端末装置１０に送信された電気信号を画像、動画、音、及び／又は、端末装置１０の振動に変換する機能を備える。なお、当該更新部１２４の機能は、図２に示されるＣＰＵ１０１及びタッチパネル１０４等によって具現される。
【００２４】
（２）サーバ装置
図４は、図１に示されるサーバ装置２０の構成例を示す図である。図４に示されるサーバ装置２０は、ＣＰＵ２０１と、アンテナ２０２と、メモリ２０３と、ディスプレイ２０４と、キーボード／マウス２０５と、タイマ２０６とを含む。そして、これらの各構成要素は、バス２０７を介して互いに電気的に接続されている。なお、本発明の一態様のサーバ装置は、図４に示されるサーバ装置２０の構成のみを備えるものに限定されない。すなわち、本発明の一態様のサーバ装置として、図４に示されていない構成要素が追加されたものを適用することも可能である。また、本発明の一態様のサーバ装置は、図４に示される複数の構成の全てを備えたものに限定されない。例えば、本発明の一態様のサーバ装置として、タイマ２０６が存在しないものを適用することも可能である。
【００２５】
ＣＰＵ２０１は、メモリ２０３に記憶されたソフトウェアに含まれる命令を実行することが可能である。具体的には、ＣＰＵ２０１は、各種の情報を含む信号を端末装置１０に送信するためのアンテナ２０２の制御、プロバイダによるキーボード／マウス２０５の操作に基づく演算処理、特定の情報を当該プロバイダに提示するためのディスプレイ２０４の制御、及び、時間測定のためのタイマ１０６の制御等を行うことが可能である。
【００２６】
さらに、ＣＰＵ２０１は、メモリ２０３から送信された位置情報及び距離情報の少なくとも一方をメモリ２０３に記憶させること、当該位置情報及び当該距離情報に基づいて、端末装置１０が現実世界において経由した複数の地点間の累積距離を算出し、それをメモリ２０３に記憶させること、及び、端末装置１０に付与する特典を当該累積距離に応じて設定し、それをメモリ２０３に記憶させることも可能である。また、ＣＰＵ２０１は、当該特典が選択可能であることを端末装置１０のユーザに提示するための信号を送信するようにアンテナ２０２を制御すること、及び、当該特典を端末装置１０のユーザに付与する信号を送信するようにアンテナ２０２を制御することが可能である。
【００２７】
メモリ２０３は、ＣＰＵ２０１が実行するプログラムを格納するために用いられ、ＤＲＡＭ、ＳＲＡＭ、ＨＤＤ、及び／又はフラッシュメモリ等によって構成される。また、メモリ２０３は、ＤＲＡＭによって構成される揮発性記憶部と、ＨＤＤによって構成される不揮発性記憶部を含んで構成されてもよい。なお、当該不揮発性記憶部は、オペレーティングシステム等のサーバ装置２０において実行され得る様々なソフトウェアを記憶することができる。また、当該揮発性記憶部は、当該不揮発性記憶装置から読み出された、サーバ装置２０において現に実行されているソフトウェアを記憶することができる。
【００２８】
ディスプレイパネル２０４は、液晶素子又は有機ＥＬ素子等を利用して表示を行う機能を備える。
【００２９】
タイマ２０６は、時間の測定が可能な装置であればどのような装置でもよい。例えば、タイマ２０６は、水晶振動子を備えていてもよい。
【００３０】
図５は、図１に示されるサーバ装置２０により実現される機能の一例を示すブロック図である。図５に示されるサーバ装置２０は、処理部２２１と、更新部２２２と、通信部２２３と、変換部２２４と、集計部２２５と、特典設定部２２６とを有する。なお、本発明の一態様のサーバ装置は、図５に示される複数の機能のみを備えたものに限定されない。すなわち、本発明の一態様のサーバ装置として、図５に示されていない機能が追加されたものを適用することも可能である。
【００３１】
処理部２２１は、各種信号の演算処理を行う機能を備える。例えば、処理部２２１は、プロバイダによるサーバ装置２０の操作、及び／又は、端末装置１０から送信される信号に応じて演算処理を行う機能を備える。なお、当該処理部２２１の機能は、図４に示されるＣＰＵ２０１等によって具現される。
【００３２】
更新部２２２は、既存の情報を更新する機能を備える。例えば、処理部２２１において実行された演算処理の結果、又は、端末装置１０から送信されるユーザ情報の更新情報を含む信号に基づいて、サーバ装置２０に記憶されている既存の情報を更新する機能を備える。さらに、更新部２２２は、ユーザ情報として、上述の位置情報及び距離情報、累積距離、並びに特典を記憶する機能を備える。なお、当該更新部２２２の機能は、図４に示されるＣＰＵ２０１及びメモリ２０３等によって具現される。
【００３３】
通信部２２３は、端末装置１０が送信する信号を受信し、また、端末装置１０に対して信号を送信する機能を備える。例えば、通信部２２３は、特定のアプリケーションを実行することの許可を求める端末装置１０からの信号を受信し、また、端末装置１０において当該特定のアプリケーションを実行するために必要な情報を含む信号を送信する機能を備える。さらに、通信部２２３は、上述の位置情報及び距離情報の少なくとも一方を含む信号を端末装置１０から受信し、また、上述の特典を提示するための信号及び当該特典を付与するための信号を端末装置１０に対して送信する機能を備える。なお、当該通信部２２３の機能は、図４に示されるＣＰＵ２０１及びアンテナ２０２等によって具現される。
【００３４】
変換部２２４は、プロバイダによるサーバ装置２０の操作などの非電気信号を電気信号に変換し、また、電気信号をプロバイダが知覚可能な信号に変換する機能を備える。例えば、サーバ装置２０のキーボートに対する押圧を電気信号に変換し、また、電気信号をサーバ装置２０において表示される画像又は動画に変換する機能を備える。なお、当該変換部２２４の機能は、図４に示されるＣＰＵ２０１、ディスプレイパネル２０４、及びキーボード／マウス２０５等によって具現される。
【００３５】
集計部２２５は、上述の位置情報及び距離情報の少なくとも一方に基づいて、端末装置１０が現実世界において経由した複数の地点間の累積距離を算出する機能を備える。例えば、集計部２２５においては、端末装置１０の複数の時刻における位置情報に基づいて、一定の期間において当該端末装置１０が現実世界において経由した複数の地点間の累積距離を算出すること、及び、一定の期間において端末装置１０から送信される特定の二点間の距離情報の全てを集計し、当該端末装置１０が現実世界において経由した複数の地点間の累積距離を算出することなどが可能である。なお、当該集計部２２５の機能は、図４に示されるＣＰＵ２０１及びメモリ２０３等によって具現される。
【００３６】
特典設定部２２６は、当該累積距離に応じて端末装置１０に付与する特典を設定する機能を備える。なお、当該特典としては、端末装置１０において、特定のアプリケーションを実行する際に又は当該特定のアプリケーションにおける特定のイベントを実行する際に、必要となるポイント（例えば、特定のゲームの特定のダンジョンを実行する際に必要となるポイント）が挙げられる。また、当該特典としては、端末装置１０において表示可能な画像又は動画が挙げられる。さらに、特典設定部２２６は、複数の特典を択一的に設定すること、すなわち、端末装置１０のユーザが特典として選択可能な複数の選択肢を設定することも可能である。なお、当該特典設定部２２６の機能は、図４に示されるＣＰＵ２０１及びメモリ２０３等によって具現される。
【００３７】
（３）シーケンス
図６は、本発明の一態様のシーケンスの一例を示す図である。
【００３８】
図６に示されるシーケンスにおいては、まず、端末装置１０においてアプリケーションが起動される（Ｓ１１）。当該アプリケーションとしては、例えば、ゲームなどが挙げられる。そして、端末装置１０は、選択されたアプリケーションを特定するための情報、及び当該端末装置１０を利用するユーザの識別情報（ＩＤ）を含む信号をサーバ装置２０に送信する。
【００３９】
次いで、サーバ装置２０において、ユーザの識別情報に基づいてユーザの認証が行われる。そして、ユーザに関する情報であって、アプリケーションの実行に必要な情報を含む信号を端末装置１０に送信する。例えば、ゲームのセーブデータを端末装置１０に送信する。これにより、端末装置１０において、当該アプリケーションを実行することが可能となる。例えば、端末装置１０において、当該セーブデータを始点としたゲームを続行することが可能となる。
【００４０】
次いで、当該アプリケーションにおけるユーザの操作（測定コマンドの入力）に応じて、現実世界における位置情報及び当該位置情報に基づいて算出される特定の二点間の距離情報の少なくとも一方を含む信号を端末装置１０からサーバ装置２０に送信する（Ｓ１２）。当該位置情報としては、例えば、当該測定コマンドが入力された時点における端末装置１０が存在する場所の情報が挙げられる。また、当該距離情報としては、例えば、当該アプリケーションが起動された時点において端末装置１０が存在する場所と、当該測定コマンドが最初に入力された時点において端末装置１０が存在する場所との直線距離に関する情報が挙げられる。なお、端末装置１０においては、測定コマンドの入力を複数回行うことが可能である（Ｓ１３）。そして、ｋ回目（ｋは２以上の自然数）に測定コマンドが入力された場合における距離情報としては、例えば、当該測定コマンドが（ｋ−１）回目に入力された時点において端末装置１０が存在する場所と、当該測定コマンドがｋ回目に入力された時点において端末装置１０が存在する場所との直線距離に関する情報が挙げられる。
【００４１】
表１は、期間Ｔ１において、アプリケーションが起動された時点及び測定コマンドが入力された時点の「ユーザＩＤ：Ａ」〜「ユーザＩＤ：Ｄ」を有する４人のユーザの位置情報の一例を示す図である。また、表２は、期間Ｔ１において、測定コマンドが入力された時点において端末装置１０内で算出された当該４人のユーザの距離情報の一例を示す図である。なお、図６に示されるシーケンスにおいては、サーバ装置２０が期間Ｔ１（例えば、２４時間）毎に累積距離の算出を行っている。
【００４２】
【表１】
2017141393.tif 000003
【００４３】
【表２】
2017141393.tif 000004
【００４４】
本発明の一態様のシステムにおいては、表１、２に示される情報を含む信号を端末装置１０からサーバ装置２０に送信し、サーバ装置２０がこれらの情報を記憶する。なお、表１、２に記載されるように、端末装置１０からサーバ装置２０への位置情報を含む信号の送信はユーザの操作に依存して行われるため、サーバ装置２０に記憶される位置情報及び距離情報の数はユーザ毎に異なりえる。
【００４５】
次いで、サーバ装置２０は、当該位置情報及び当該距離情報の少なくとも一方に基づいて、端末装置１０が現実世界において経由した複数の地点間の累積距離を算出する（Ｓ２１）。例えば、上記の表２に記載の情報に基づいて累積距離が算出される場合には、表３に示される累積距離が算出されることとなる。そして、サーバ装置２０は、算出された累積距離に関する情報を記憶する。
【００４６】
【表３】
2017141393.tif 000005
【００４７】
次いで、サーバ装置２０は、当該累積距離に基づいて端末装置１０のユーザに付与する特典を設定する（Ｓ２２）。例えば、サーバ装置２０は、表４に示されるような累積距離と特典の対応関係を予め定めておくことができ、表５に示されるように当該対応関係に応じてユーザに付与する特典を設定することが可能である。そして、サーバ装置２０は、設定された特典に関する情報を記憶する。なお、表４に示される「アプリポイント」とは、特定のアプリケーションの特定のイベントを実行する際に必要となるポイント（例えば、特定のゲームの特定のダンジョンを実行する際に必要となるポイント）を意味する。また、表４に示される「画像」としては、端末装置１０の表示画面用の壁紙等が挙げられ、「動画」としては、特定のアプリケーションの特定のイベントに関する情報を含む動画（例えば、特定のゲームの特定のダンジョンをクリアするために有益な情報を含む動画）等が挙げられる。
【００４８】
【表４】
2017141393.tif 000006
【００４９】
【表５】
2017141393.tif 000007
【００５０】
次いで、サーバ装置２０が設定された特典を提示するよう指示する信号を端末装置１０に送信する。そして、端末装置１０が当該アプリケーションにおけるユーザの操作に応じて当該特典をユーザに提示する。
【００５１】
次いで、当該アプリケーションにおけるユーザの操作（選択コマンドの入力）に応じて、端末装置１０からサーバ装置２０に選択された特典に関する情報（選択情報）を含む信号を送信する（Ｓ１４）。そして、サーバ装置２０は、選択された特典を端末装置１０に付与する。
【００５２】
その後、端末装置１０において、当該アプリケーションが終了される。
【００５３】
ア  端末装置の動作
図７は、図６に示されるシーケンスを行った場合の端末装置１０の表示画面の変化の概要を示す図である。また、図８〜１４は、図７に示される各時点における端末装置１０の表示画面の一例を示す図である。
【００５４】
なお、以下では、図６に示されるアプリケーションが、マップ画面、受信メール画面及びダンジョンメニュー画面を表示することが可能なゲームである場合の一例を示している。ここで、マップ画面とは現実世界における端末装置１０の位置情報を表示することが可能な画面であり、受信メール画面とは端末装置１０が受信したメールの閲覧が可能な画面であり、ダンジョンメニュー画面とは選択可能なダンジョンを表示する画面である。また、以下では、サーバ装置２０における累積距離の算出が、毎日午前５時に行われる場合を想定している。
【００５５】
図８は、図７の「Ｄ１」に対応するダンジョンメニュー画面の一例を示す図である。図８に示されるダンジョンメニュー画面では、複数のダンジョンと、それを実行する際に必要となるアプリポイントとが併記されている。ここで、「ユーザＩＤ：Ａ」を有するユーザが所有するアプリポイント（３６Ｐｔ）は、「宇宙のダンジョンＥ」を実行するために必要なアプリポイント（５０Ｐｔ）に満たないため、「宇宙のダンジョンＥ」の選択が不能となっている。
【００５６】
図９〜１１は、図７の「Ｄ２」に対応するマップ画面の一例を時系列に示す図である。図９に示されるマップ画面では、前回、測定コマンドの入力（「更新」ボタンへの接触）が行われた地点（点線部分）と、現在の地点（実線部分）との相関関係、及び、その間隔（６．３ｋｍ）が示されている。また、図９に示されるマップ画面では、特定の期間において集計された累積距離（１３．９ｋｍ）が示されている。図１０に示されるマップ画面では、測定コマンドの入力（「更新」ボタンへの接触）が行われたことが示されている。図１１に示されるマップ画面では、今回、新たに測定コマンドの入力（「更新」ボタンへの接触）が行われたことに伴って増加された累積距離（２０．２ｋｍ）が示されている。
【００５７】
ここで、サーバ装置２０において、累積距離の算出及び特典の設定が行われる。
【００５８】
図１２は、図７の「Ｄ３」に対応する受信メール画面の一例を示す図である。図１２に示される受信メール画面では、端末装置１０のユーザが特典として選択可能な複数の選択肢（アプリポイント２１Ｐｔ及び壁紙用画像ｂ）が示されている。
【００５９】
図１３は、図７の「Ｄ４」に対応する受信メール画面の一例を示す図である。図１３に示される受信メール画面では、特典としてアプリポイントが選択されたことが示されている。
【００６０】
図１４は、図７の「Ｄ５」に対応するダンジョンメニュー画面の一例を示す図である。図１４に示されるダンジョンメニュー画面では、増加されたアプリポイント（５７Ｐｔ）が示され、また、「宇宙のダンジョンＥ」の選択が可能となっている。
【００６１】
イ  サーバ装置の動作
図１５は、図６に示されるシーケンスを行った場合のサーバ装置２０の動作の一例を示すフローチャートである。
【００６２】
サーバ装置２０においては、まず、更新部２２２が、端末装置１０から送信された位置情報及び距離情報の少なくとも一方を記憶する（Ｓ３１）。次いで、集計部２２５が、当該位置情報及び当該距離情報の少なくとも一方に基づいて、端末装置１０が現実世界において経由した複数の地点間の累積距離を算出する（Ｓ３２）。次いで、特典設定部２２６が、端末装置１０に付与する特典を当該累積距離に応じて設定する（Ｓ３３）。次いで、通信部２２３が、当該特典をユーザに提示するように指示する信号を端末装置１０に送信する（Ｓ３４）。そして、ユーザが当該特典を選択したことを示す信号が受信された場合には、通信部２２３が、当該特典を端末装置１０に付与する信号を送信する（Ｓ３５、３６）。
【００６３】
（４）小括
上述した本発明の一態様のサーバ装置、方法及びプログラムは、例えば、以下のように表現することができる。
【００６４】
当該サーバ装置は、端末装置から送信される位置情報及び位置情報に基づいて算出された特定の二点間の距離情報の少なくとも一方を含む信号を受信する通信部と、位置情報及び距離情報の少なくとも一方に基づいて、端末装置が現実世界において経由した複数の地点間の累積距離を算出する集計部と、端末装置に付与する特典を累積距離に応じて設定する特典設定部と、を有するものであると表現することができる。
【００６５】
また、当該方法は、サーバ装置の通信部が、端末装置から送信される位置情報及び位置情報に基づいて算出された特定の二点間の距離情報の少なくとも一方を含む信号を受信し、サーバ装置の集計部が、位置情報及び距離情報の少なくとも一方に基づいて、端末装置が現実世界において経由した複数の地点間の累積距離を算出し、サーバ装置の特典設定部が、端末装置に付与する特典を累積距離に応じて設定するものであると表現することができる。
【００６６】
また、当該プログラムは、端末装置と信号の送受信を行うコンピュータを、端末装置から送信される位置情報及び位置情報に基づいて算出された特定の二点間の距離情報の少なくとも一方を含む信号を受信する通信部と、位置情報及び距離情報の少なくとも一方に基づいて、端末装置が現実世界において経由した複数の地点間の累積距離を算出する集計部と、端末装置に付与する特典を累積距離に応じて設定する特典設定部として機能させるものであると表現することができる。
【００６７】
これらのサーバ装置、方法及びプログラムでは、現実世界における移動に応じて、仮想世界上における特典を端末装置のユーザに付与することが可能である。この場合、例えば、オンラインゲームを当該ユーザの日常生活と密接に関連させることができ、当該オンラインゲームに対するユーザの興味をかきたてることが可能になるという効果を奏する。
【００６８】
２．変形例
上述した本発明の一態様は、一例であり、これらは適宜変更することが可能である。例えば、本発明の一態様は、以下のように変形することが可能である。なお、本発明の一態様として、後述する変形例の複数を組み合わせることも可能である。
【００６９】
（１）変形例１
図６に示されるシーケンスにおいては、位置情報及び距離情報の少なくとも一方を含む信号の端末装置１０からサーバ装置２０への送信と、サーバ装置２０から端末装置１０への特典の付与とが、端末装置１０で実行される単一のアプリケーション上で行われる構成について示されていたが、当該送信と、当該付与とが別個のアプリケーション上で行われる構成にしてもよい。例えば、当該送信が第１のアプリケーションの実行中に行われ、且つ、当該付与が第１のアプリケーションと異なる第２のアプリケーションの実行中に行われるようにしてもよい（図１６参照）。
【００７０】
図１６に示される構成は、図６に示される構成と比較して、既存のアプリケーション（第２のアプリケーション）の設計を大きく変更することなく、上述の特典の付与を実現することが可能となる点で好ましい。他方、図６に示される構成は、図１６に示される構成と比較して、上述の特典の付与を実現するために必要とされる端末装置１０及びサーバ装置２０のメモリの容量を低減することができる点で好ましい。
【００７１】
（２）変形例２
図６に示されるシーケンスにおいては、位置情報及び距離情報の少なくとも一方を含む信号の端末装置１０からサーバ装置２０への送信が、アプリケーション上におけるユーザの操作（測定コマンドの入力）に応じて行われる構成（図５に記載の通信部２２３による当該信号の受信が端末装置１０の操作に応じて不定期に行われる構成）について示されていたが、当該送信が端末装置１０の電源が入っている限り自動的に行われる構成にしてもよい。例えば、一定の期間Ｔ２毎に、位置情報及び距離情報の少なくとも一方を含む信号の端末装置１０からサーバ装置２０への送信が行われる構成（図５に記載の通信部２２３による当該信号の受信が一定期間毎に行われる構成）にしてもよい（図１７参照）。
【００７２】
図１７に示される構成は、図６に示される構成と比較して、端末装置１０のユーザを手間取らせることなく、上述の特典の付与を実現することできる点で好ましい。他方、図６に示される構成は、図１７に示される構成と比較して、端末装置１０のユーザが任意のタイミングで測定コマンドを入力することができる点及び端末装置１０が無駄に動作することを抑制できる（端末装置１０の消費電力を低減できる）点で好ましい。
【００７３】
また、本発明の一態様では、位置情報及び距離情報の少なくとも一方を含む信号の端末装置１０からサーバ装置２０への送信が、アプリケーション上におけるユーザの操作（測定コマンドの入力）に応じて行われるとともに、一定の期間Ｔ２毎にも行われる構成とすることも可能である。
【００７４】
（３）変形例３
図６に示されるシーケンスにおいては、サーバ装置２０における累積距離の算出が一定の期間Ｔ１毎に行われる構成（図５に示される集計部２２５による当該算出が一定期間毎に行われる構成）について示されていたが、当該算出がアプリケーション上におけるユーザの操作（集計コマンドの入力（Ｓ５１））に応じて行われる構成（図５に示される集計部２２５による当該算出が端末装置１０から集計を指示する信号が送信された場合に行われる構成）にしてもよい（図１８参照）。
【００７５】
図１８に示される構成は、図６に示される構成と比較して、端末装置１０のユーザが任意のタイミングでサーバ装置２０における累積距離の算出を指示することができる点及びサーバ装置２０が無駄に動作することを抑制できる（サーバ装置２０の消費電力を低減できる）点で好ましい。他方、図６に示される構成は、図１８に示される構成と比較して、端末装置１０のユーザを手間取らせることなく、累積距離の算出ができる点で好ましい。
【００７６】
（４）変形例４
図１５に示されるフローチャートにおいては、端末装置１０のユーザが付与された特典を選択しなかった場合に、当該特典が付与されることなく終了する構成について示されていたが、当該特典が選択されたかった場合であっても所定期間に渡って特典の提示を継続する構成（図１９参照）、又は、当該特典の提示を制限時間なく継続する構成（図示しない）にしてもよい。例えば、図１２、１３に示される受信メールに記載の特典の選択を所定期間に渡って可能とする構成（図５に示される特典設定部２２６が端末装置１０のユーザによる当該特典の取得について取得可能期間を設定する構成）、又は、制限時間なく選択可能な構成（図５に示される特典設定部２２６が端末装置１０のユーザによる当該特典の取得について制限期間を設けることなく可能とする構成）にしてもよい。
【００７７】
図１９に示される構成等は、図１５に示される構成と比較して、端末装置１０のユーザが任意のタイミングで特典を取得できる点で好ましい。他方、図１５に示される構成は、図１９に示される構成等と比較して、サーバ装置２０のメモリの容量を消費することがない点で好ましい。
【００７８】
３  付記事項
本明細書で説明される処理及び手順は、実施形態において明示的に説明されたものによってのみならず、ソフトウェア、ハードウェア又はこれらの組み合わせによっても実現可能である。具体的には、本明細書で説明された処理及び手順は、集積回路、揮発性メモリ、不揮発性メモリ、磁気ディスク、光ストレージ等の媒体に、当該処理に相当するロジックを実装することによって実現される。また、本明細書で説明される処理及び手順は、それらの処理・手順をコンピュータプログラムとして実装し、端末装置やサーバ装置を含む各種のコンピュータに実行させることが可能である。
【００７９】
また、本明細書中で説明される処理及び手順が単一の装置、ソフトウェア、コンポーネント、モジュールによって実行される旨が説明されたとしても、そのような処理又は手順は、複数の装置、複数のソフトウェア、複数のコンポーネント、及び／又は、複数のモジュールによって実行されるものとすることができる。また、本明細書中で説明される各種情報が単一のメモリ部や記憶部に格納される旨説明されたとしても、そのような情報は、単一の装置に備えられた複数のメモリ部又は複数の装置に分散して配置された複数のメモリ部に分散して格納されるものとすることができる。さらに、本明細書において説明されるソフトウェアおよびハードウェアの要素は、それらをより少ない構成要素に統合して、又は、より多い構成要素に分解することによって実現されるものとすることができる。
【符号の説明】
【００８０】
１０      端末装置
２０      サーバ装置
３０      ネットワーク
１０１    ＣＰＵ
１０２    アンテナ
１０３    メモリ
１０４    タッチパネル
１０５    ＧＰＳ受信機
１０６    タイマ
１０７    バス
１２１    処理部
１２２    更新部
１２３    通信部
１２４    変換部
２０１    ＣＰＵ
２０２    アンテナ
２０３    メモリ
２０４    ディスプレイ
２０５    キーボード／マウス
２０６    タイマ
２０７    バス
２２１    処理部
２２２    更新部
２２３    通信部
２２４    変換部
２２５    集計部
２２６    特典設定部
【図１】
2017141393.tif 000008
【図２】
2017141393.tif 000009
【図３】
2017141393.tif 000010
【図４】
2017141393.tif 000011
【図５】
2017141393.tif 000012
【図６】
2017141393.tif 000013
【図７】
2017141393.tif 000014
【図８】
2017141393.tif 000015
【図９】
2017141393.tif 000016
【図１０】
2017141393.tif 000017
【図１１】
2017141393.tif 000018
【図１２】
2017141393.tif 000019
【図１３】
2017141393.tif 000020
【図１４】
2017141393.tif 000021
【図１５】
2017141393.tif 000022
【図１６】
2017141393.tif 000023
【図１７】
2017141393.tif 000024
【図１８】
2017141393.tif 000025
【図１９】
2017141393.tif 000026
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
端末装置から送信される位置情報及び前記位置情報に基づいて算出された特定の二点間の距離情報の少なくとも一方を含む信号を受信する通信部と、
前記位置情報及び前記距離情報の少なくとも一方に基づいて、前記端末装置が現実世界において経由した複数の地点間の累積距離を算出する集計部と、
前記端末装置に付与する特典を前記累積距離に応じて設定する特典設定部と、を有し、
前記特典は、前記端末装置において、特定のアプリケーションを実行する際に又は前記特定のアプリケーションにおける特定のイベントを実行する際に、必要となるポイントであり、
前記特典設定部は、前記累積距離が所定の距離以下である場合に第１の条件で前記ポイントを前記特典として設定し、且つ、前記累積距離が前記所定の距離を越える場合に前記第１の条件と異なる第２の条件で前記ポイントを前記特典として設定するサーバ装置。
【請求項２】
前記第１の条件は、前記累積距離に比例するように前記ポイントを前記特典として設定するという条件であり、
前記第２の条件は、前記累積距離に依存することなく所定の値のポイントを前記特典として設定するという条件である請求項１に記載のサーバ装置。
【請求項３】
前記特定のアプリケーションは、前記信号が前記端末装置から送信される際に前記端末装置において実行されているアプリケーションとは異なる請求項１又は請求項２に記載のサーバ装置。
【請求項４】
前記特定のアプリケーションは、ゲームであり、
前記特定のイベントは、ダンジョンである請求項１乃至請求項３のいずれか一項に記載のサーバ装置。
【請求項５】
前記信号の前記端末装置からの送信は、前記端末装置の操作に応じて不定期に行われる請求項１乃至請求項４のいずれか一項に記載のサーバ装置。
【請求項６】
前記信号の前記端末装置からの送信は、ユーザが前記端末装置に測定コマンドを入力した場合に行われる請求項５に記載のサーバ装置。
【請求項７】
前記信号の前記端末装置からの送信は、一定期間毎に行われる請求項１乃至請求項４のいずれか一項に記載のサーバ装置。
【請求項８】
前記集計部による前記累積距離の算出は、一定期間毎に行われる請求項１乃至請求項７のいずれか一項に記載のサーバ装置。
【請求項９】
前記集計部による前記累積距離の算出は、前記端末装置から集計を指示する信号が送信された場合に行われる請求項１乃至請求項７のいずれか一項に記載のサーバ装置。
【請求項１０】
前記集計を指示する信号の送信は、ユーザが前記端末装置に集計コマンドを入力した場合に行われる請求項９に記載のサーバ装置。
【請求項１１】
前記通信部は、ユーザが前記端末装置に前記測定コマンドを入力した地点と現在の地点の相対的な位置関係、前記入力した地点と前記現在の地点の間隔、及び、前記累積距離を前記端末装置に表示させるための信号を送信する請求項１乃至請求項１０のいずれか一項に記載のサーバ装置。
【請求項１２】
前記特典設定部は、前記端末装置のユーザが前記特典として選択可能な複数の選択肢を設定する請求項１乃至請求項１１のいずれか一項に記載のサーバ装置。
【請求項１３】
前記特典設定部は、前記ポイントと、前記端末装置において表示可能な画像又は動画とを前記特典として設定する請求項１２に記載のサーバ装置。
【請求項１４】
前記特典設定部は、前記端末装置のユーザが前記特典を取得することが可能な取得可能期間を設定する請求項１乃至請求項１３のいずれか一項に記載のサーバ装置。
【請求項１５】
サーバ装置の通信部が、端末装置から送信される位置情報及び前記位置情報に基づいて算出された特定の二点間の距離情報の少なくとも一方を含む信号を受信し、
前記サーバ装置の集計部が、前記位置情報及び前記距離情報の少なくとも一方に基づいて、前記端末装置が現実世界において経由した複数の地点間の累積距離を算出し、
前記サーバ装置の特典設定部が、前記端末装置に付与する特典を前記累積距離に応じて設定する方法であって、
前記特典は、前記端末装置において、特定のアプリケーションを実行する際に又は前記特定のアプリケーションにおける特定のイベントを実行する際に、必要となるポイントであり、
前記特典設定部は、前記累積距離が所定の距離以下である場合に第１の条件で前記ポイントを前記特典として設定し、且つ、前記累積距離が前記所定の距離を越える場合に前記第１の条件と異なる第２の条件で前記ポイントを前記特典として設定する方法。
【請求項１６】
端末装置と信号の送受信を行うコンピュータを、
端末装置から送信される位置情報及び前記位置情報に基づいて算出された特定の二点間の距離情報の少なくとも一方を含む信号を受信する通信部と、
前記位置情報及び前記距離情報の少なくとも一方に基づいて、前記端末装置が現実世界において経由した複数の地点間の累積距離を算出する集計部と、
前記端末装置に付与する特典を前記累積距離に応じて設定する特典設定部として機能させるためのプログラムであって、
前記特典は、前記端末装置において、特定のアプリケーションを実行する際に又は前記特定のアプリケーションにおける特定のイベントを実行する際に、必要となるポイントであり、
前記特典設定部は、前記累積距離が所定の距離以下である場合に第１の条件で前記ポイントを前記特典として設定し、且つ、前記累積距離が前記所定の距離を越える場合に前記第１の条件と異なる第２の条件で前記ポイントを前記特典として設定するプログラム。
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
端末装置から送信される位置情報及び前記位置情報に基づいて算出された特定の二点間の距離情報の少なくとも一方を含む信号を受信する通信部と、
前記位置情報及び前記距離情報の少なくとも一方に基づいて、前記端末装置が現実世界において経由した複数の地点間の累積距離を算出する集計部と、
前記端末装置に付与する特典を前記累積距離に応じて設定する特典設定部と、を有し、
前記特典は、前記端末装置において、特定のアプリケーションを実行する際に又は前記特定のアプリケーションにおける特定のイベントを実行する際に、必要となるポイントであり、
前記特典設定部は、前記累積距離が所定の距離以下である場合に第１の条件で前記ポイントを前記特典として設定し、且つ、前記累積距離が前記所定の距離を越える場合に前記第１の条件と異なる第２の条件で前記ポイントを前記特典として設定し、
前記特定のアプリケーションは、前記信号が前記端末装置から送信される際に前記端末装置において実行されているアプリケーションとは異なるサーバ装置。
【請求項２】
前記第１の条件は、前記累積距離に比例するように前記ポイントを前記特典として設定するという条件であり、
前記第２の条件は、前記累積距離に依存することなく所定の値のポイントを前記特典として設定するという条件である請求項１に記載のサーバ装置。
【請求項３】
前記特定のアプリケーションは、ゲームであり、
前記特定のイベントは、ダンジョンである請求項１又は請求項２に記載のサーバ装置。
【請求項４】
前記信号の前記端末装置からの送信は、前記端末装置の操作に応じて不定期に行われる請求項１乃至請求項３のいずれか一項に記載のサーバ装置。
【請求項５】
前記信号の前記端末装置からの送信は、ユーザが前記端末装置に測定コマンドを入力した場合に行われる請求項４に記載のサーバ装置。
【請求項６】
前記信号の前記端末装置からの送信は、一定期間毎に行われる請求項１乃至請求項３のいずれか一項に記載のサーバ装置。
【請求項７】
前記集計部による前記累積距離の算出は、一定期間毎に行われる請求項１乃至請求項６のいずれか一項に記載のサーバ装置。
【請求項８】
前記集計部による前記累積距離の算出は、前記端末装置から集計を指示する信号が送信された場合に行われる請求項１乃至請求項６のいずれか一項に記載のサーバ装置。
【請求項９】
前記集計を指示する信号の送信は、ユーザが前記端末装置に集計コマンドを入力した場合に行われる請求項８に記載のサーバ装置。
【請求項１０】
前記通信部は、ユーザが前記端末装置に前記測定コマンドを入力した地点と現在の地点の相対的な位置関係、前記入力した地点と前記現在の地点の間隔、及び、前記累積距離を前記端末装置に表示させるための信号を送信する請求項１乃至請求項９のいずれか一項に記載のサーバ装置。
【請求項１１】
前記特典設定部は、前記端末装置のユーザが前記特典として選択可能な複数の選択肢を設定する請求項１乃至請求項１０のいずれか一項に記載のサーバ装置。
【請求項１２】
前記特典設定部は、前記ポイントと、前記端末装置において表示可能な画像又は動画とを前記特典として設定する請求項１１に記載のサーバ装置。
【請求項１３】
前記特典設定部は、前記端末装置のユーザが前記特典を取得することが可能な取得可能期間を設定する請求項１乃至請求項１２のいずれか一項に記載のサーバ装置。
【請求項１４】
サーバ装置の通信部が、端末装置から送信される位置情報及び前記位置情報に基づいて算出された特定の二点間の距離情報の少なくとも一方を含む信号を受信し、
前記サーバ装置の集計部が、前記位置情報及び前記距離情報の少なくとも一方に基づいて、前記端末装置が現実世界において経由した複数の地点間の累積距離を算出し、
前記サーバ装置の特典設定部が、前記端末装置に付与する特典を前記累積距離に応じて設定する方法であって、
前記特典は、前記端末装置において、特定のアプリケーションを実行する際に又は前記特定のアプリケーションにおける特定のイベントを実行する際に、必要となるポイントであり、
前記特典設定部は、前記累積距離が所定の距離以下である場合に第１の条件で前記ポイントを前記特典として設定し、且つ、前記累積距離が前記所定の距離を越える場合に前記第１の条件と異なる第２の条件で前記ポイントを前記特典として設定し、
前記特定のアプリケーションは、前記信号が前記端末装置から送信される際に前記端末装置において実行されているアプリケーションとは異なる方法。
【請求項１５】
端末装置と信号の送受信を行うコンピュータを、
端末装置から送信される位置情報及び前記位置情報に基づいて算出された特定の二点間の距離情報の少なくとも一方を含む信号を受信する通信部と、
前記位置情報及び前記距離情報の少なくとも一方に基づいて、前記端末装置が現実世界において経由した複数の地点間の累積距離を算出する集計部と、
前記端末装置に付与する特典を前記累積距離に応じて設定する特典設定部として機能させるためのプログラムであって、
前記特典は、前記端末装置において、特定のアプリケーションを実行する際に又は前記特定のアプリケーションにおける特定のイベントを実行する際に、必要となるポイントであり、
前記特典設定部は、前記累積距離が所定の距離以下である場合に第１の条件で前記ポイントを前記特典として設定し、且つ、前記累積距離が前記所定の距離を越える場合に前記第１の条件と異なる第２の条件で前記ポイントを前記特典として設定し、
前記特定のアプリケーションは、前記信号が前記端末装置から送信される際に前記端末装置において実行されているアプリケーションとは異なるプログラム。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
端末装置から送信される位置情報及び前記位置情報に基づいて算出された特定の二点間の距離情報の少なくとも一方を含む信号を受信する通信部と、
前記位置情報及び前記距離情報の少なくとも一方に基づいて、前記端末装置が現実世界において経由した複数の地点間の累積距離を算出する集計部と、
前記端末装置に付与する特典を前記累積距離に応じて設定する特典設定部と、を有し、
前記特典は、前記端末装置において、特定のアプリケーションを実行する際に又は前記特定のアプリケーションにおける特定のイベントを実行する際に、必要となるポイントであり、
前記特典設定部は、前記累積距離が所定の距離以下である場合に第１の条件で前記ポイントを前記特典として設定し、且つ、前記累積距離が前記所定の距離を越える場合に前記第１の条件と異なる第２の条件で前記ポイントを前記特典として設定し、
前記第１の条件は、前記累積距離に比例するように前記ポイントを前記特典として設定するという条件であり、
前記第２の条件は、前記累積距離に依存することなく所定の値のポイントを前記特典として設定するという条件であるサーバ装置。
【請求項２】
前記特定のアプリケーションは、前記信号が前記端末装置から送信される際に前記端末装置において実行されているアプリケーションとは異なる請求項１に記載のサーバ装置。
【請求項３】
前記特定のアプリケーションは、ゲームであり、
前記特定のイベントは、ダンジョンである請求項１又は請求項２に記載のサーバ装置。
【請求項４】
前記信号の前記端末装置からの送信は、前記端末装置の操作に応じて不定期に行われる請求項１乃至請求項３のいずれか一項に記載のサーバ装置。
【請求項５】
前記信号の前記端末装置からの送信は、ユーザが前記端末装置に測定コマンドを入力した場合に行われる請求項４に記載のサーバ装置。
【請求項６】
前記信号の前記端末装置からの送信は、一定期間毎に行われる請求項１乃至請求項３のいずれか一項に記載のサーバ装置。
【請求項７】
前記集計部による前記累積距離の算出は、一定期間毎に行われる請求項１乃至請求項６のいずれか一項に記載のサーバ装置。
【請求項８】
前記集計部による前記累積距離の算出は、前記端末装置から集計を指示する信号が送信された場合に行われる請求項１乃至請求項６のいずれか一項に記載のサーバ装置。
【請求項９】
前記集計を指示する信号の送信は、ユーザが前記端末装置に集計コマンドを入力した場合に行われる請求項８に記載のサーバ装置。
【請求項１０】
前記通信部は、ユーザが前記端末装置に前記測定コマンドを入力した地点と現在の地点の相対的な位置関係、前記入力した地点と前記現在の地点の間隔、及び、前記累積距離を前記端末装置に表示させるための信号を送信する請求項１乃至請求項９のいずれか一項に記載のサーバ装置。
【請求項１１】
前記特典設定部は、前記端末装置のユーザが前記特典として選択可能な複数の選択肢を設定する請求項１乃至請求項１０のいずれか一項に記載のサーバ装置。
【請求項１２】
前記特典設定部は、前記ポイントと、前記端末装置において表示可能な画像又は動画とを前記特典として設定する請求項１１に記載のサーバ装置。
【請求項１３】
前記特典設定部は、前記端末装置のユーザが前記特典を取得することが可能な取得可能期間を設定する請求項１乃至請求項１２のいずれか一項に記載のサーバ装置。
【請求項１４】
サーバ装置の通信部が、端末装置から送信される位置情報及び前記位置情報に基づいて算出された特定の二点間の距離情報の少なくとも一方を含む信号を受信し、
前記サーバ装置の集計部が、前記位置情報及び前記距離情報の少なくとも一方に基づいて、前記端末装置が現実世界において経由した複数の地点間の累積距離を算出し、
前記サーバ装置の特典設定部が、前記端末装置に付与する特典を前記累積距離に応じて設定する方法であって、
前記特典は、前記端末装置において、特定のアプリケーションを実行する際に又は前記特定のアプリケーションにおける特定のイベントを実行する際に、必要となるポイントであり、
前記特典設定部は、前記累積距離が所定の距離以下である場合に第１の条件で前記ポイントを前記特典として設定し、且つ、前記累積距離が前記所定の距離を越える場合に前記第１の条件と異なる第２の条件で前記ポイントを前記特典として設定し、
前記第１の条件は、前記累積距離に比例するように前記ポイントを前記特典として設定するという条件であり、
前記第２の条件は、前記累積距離に依存することなく所定の値のポイントを前記特典として設定するという条件である方法。
【請求項１５】
端末装置と信号の送受信を行うコンピュータを、
端末装置から送信される位置情報及び前記位置情報に基づいて算出された特定の二点間の距離情報の少なくとも一方を含む信号を受信する通信部と、
前記位置情報及び前記距離情報の少なくとも一方に基づいて、前記端末装置が現実世界において経由した複数の地点間の累積距離を算出する集計部と、
前記端末装置に付与する特典を前記累積距離に応じて設定する特典設定部として機能させるためのプログラムであって、
前記特典は、前記端末装置において、特定のアプリケーションを実行する際に又は前記特定のアプリケーションにおける特定のイベントを実行する際に、必要となるポイントであり、
前記特典設定部は、前記累積距離が所定の距離以下である場合に第１の条件で前記ポイントを前記特典として設定し、且つ、前記累積距離が前記所定の距離を越える場合に前記第１の条件と異なる第２の条件で前記ポイントを前記特典として設定し、
前記第１の条件は、前記累積距離に比例するように前記ポイントを前記特典として設定するという条件であり、
前記第２の条件は、前記累積距離に依存することなく所定の値のポイントを前記特典として設定するという条件であるプログラム。
【国際調査報告】
2017141393.tif 000027
2017141393.tif 000028